(57)【要約】【課題】始動領域の球通過を駆動契機とする開閉部材の開放駆動時に、可変入賞装置の上部の一般入賞口への入賞を阻止し、大当り発生のチャンスが失われることがないようにしたパチンコ遊技機を提供する。【解決手段】一般入賞口１６の上部に進出して遊技球の流入を不能とする遮蔽位置と、後退して遊技球の一般入賞口１６への流入を可能とする待機位置に変換駆動される遮蔽部材（球流入阻止部材）１７を一般入賞口１６の上部位置に配設し、開閉部材４ａ，４ａの開放駆動時に該遮蔽部材１７を遮蔽位置へ変換駆動するようにした。【選択図】　図２
2004041314.tif 000002
【特許請求の範囲】
【請求項１】
入賞ケースの上部位置に一般入賞口が設けられるとともに、入賞ケースの左右両側に開口された大入賞口に、該大入賞口を開閉する開閉部材が夫々配設された可変入賞装置を備えてなり、所定始動条件の成立を契機として前記開閉部材が所定開閉態様で開閉駆動されるパチンコ遊技機において、
開閉部材の開閉駆動時に、一般入賞口への遊技球の流入を阻止する球流入阻止部材を備えたことを特徴とするパチンコ遊技機。
【請求項２】
入賞ケースの上部位置に一般入賞口が設けられるとともに、入賞ケースの左右両側に開口された大入賞口に、該大入賞口を開閉する開閉部材が夫々配設され、かつ、入賞ケース内に大入賞口により外部と連通する閉鎖作動領域が形成されて、該閉鎖作動領域内に一般領域と特定領域とが設けられた可変入賞装置と、遊技球の通過により前記開閉部材を開閉させる始動領域とを備えてなり、該始動領域の球通過を駆動契機とする開閉部材の開放駆動により大入賞口から閉鎖作動領域内に流入した遊技球が特定領域を通過した場合に、開閉部材が所定開閉態様で開閉駆動される特別開放作動を実行するパチンコ遊技機において、
少なくとも始動領域の球通過を駆動契機とする開閉部材の開閉駆動時に、一般入賞口への遊技球の流入を阻止する球流入阻止部材を備えたことを特徴とするパチンコ遊技機。
【請求項３】
球流入阻止部材が、一般入賞口の上部に進出して遊技球の流入を不能とする遮蔽位置と、後退して遊技球の一般入賞口への流入を可能とする待機位置に変換駆動される遮蔽部材によって構成されていることを特徴とする請求項１又は請求項２記載のパチンコ遊技機。
【請求項４】
球流入阻止部材が、左右に拡開してその間に一般入賞口と連通する球通路を生じる待機位置と、内側に移動して前記球通路を閉鎖する作動位置とに変換駆動される左右一対の可動部材によって構成されていることを特徴とする請求項１又は請求項２記載のパチンコ遊技機。
【請求項５】
遊技球の通過により開閉部材を開閉させる複数の始動領域を備え、かつ所定の始動領域毎に開閉部材の開放時間及び／又は開閉回数を異ならせた構成にあって、各始動領域の球通過に起因して、可動部材の変換駆動が選択的に実行されることを特徴とする請求項４記載のパチンコ遊技機。
【請求項６】
開閉部材の上部に可動部材を配設し、該可動部材の外端と開放状態の開閉部材とによって大入賞口の開口幅を規定するとともに、所定の始動領域の球通過に起因して開閉部材が開放された状態にあって、可動部材の変換駆動の選択的な実行により、可動部材が左右に拡開した待機位置にある状態で狭幅の大入賞口の開口幅を生じさせる一方、可動部材が内側に移動した作動位置に変換された状態で広幅の大入賞口の開口幅を生じさせるようにしたことを特徴とする請求項５記載のパチンコ遊技機。
【発明の詳細な説明】
【０００１】
【発明の属する技術分野】
本発明は、大入賞口を開閉する開閉部材が、所定始動条件の成立を契機として所定開閉態様で開閉駆動される可変入賞装置を備えたパチンコ遊技機に関する。
【０００２】
【従来の技術】
大入賞口を開閉する開閉部材を備え、かつ該大入賞口により外部と連通する閉鎖作動領域内に一般領域と特定領域とを備えた可変入賞装置と、遊技球の通過により前記開閉部材を開閉させる始動領域とを備えてなり、該始動領域を遊技球が通過すると、開閉部材が１回若しくは２回の瞬時的な往復開閉駆動を行ない、その開放時に大入賞口から閉鎖作動領域内に流入した遊技球が特定領域を通過した場合に、開閉部材が連続的に往復開閉駆動される大当りとしての特別開放作動を発生させるとともに、該特別開放作動中にあって、開閉部材の開放駆動開始から、開閉部材の所定制限開閉回数の開閉満了、大入賞口からの規定個数の入賞満了、又は遊技球の特定領域の通過の何れかの終了条件の成立を契機として開閉部材の開放駆動が終了する開閉ラウンドを、特定領域の球通過を条件として、所定回数継続するようにしたパチンコ遊技機は、いわゆる第二種パチンコ遊技機として知られている。
【０００３】
この種のパチンコ遊技機にあっては、可変入賞装置の閉鎖作動領域内で、大入賞口から特定領域に至る球流路に、遊技球の特定領域の通過を容易とする状態と、困難とする状態を可変的に生じるように作動する種々の誘導部材が配設されており、該誘導部材によって、始動領域の球通過を駆動契機とする開閉部材の開放駆動により大入賞口から閉鎖作動領域内に流入した遊技球の流れ，動きに変化を生じさせて、該遊技球が特定領域を通過するか否か、即ち特別開放作動が発生するか否かを演出するようにしている。
【０００４】
また、図１２に示すように、可変入賞装置ａの上部には、一般入賞口ｂが一体的に設けられるのが普通であり、該一般入賞口ｂより下方の左右両側に、開閉部材ｃ，ｃにより開閉制御される大入賞口ｄ，ｄが設けられている。
【０００５】
一方、第一種パチンコ遊技機、或いは第三種パチンコ遊技機にあっても、開閉部材により開閉制御される大入賞口を備えた可変入賞装置が用いられるが、第二種パチンコ遊技機とは異なり、大当りとしての特別遊技作動の発生に伴って開閉部材が所定開閉態様で開閉駆動されるようになっている。
【０００６】
【発明が解決しようとする課題】
ところで、特に第二種パチンコ遊技機にあっては、始動領域の球通過を駆動契機とする開閉部材の開放駆動時に、大入賞口から閉鎖作動領域内に流入した遊技球が唯一の固定的な領域からなる特定領域を通過することによってのみ、大当りとしての特別開放作動が発生するため、始動領域の球通過を駆動契機とする開閉部材の開放駆動時に、大入賞口に遊技球を入賞させることが最も重要である。しかしながら、始動領域の球通過を駆動契機として開放駆動される開閉部材は、その開放時間が極めて短いため、遊技者はいつ大入賞口が開放されてもよいように、常に可変入賞装置の近辺に遊技球を近寄らせることに留意して球発射操作を行っているのであるが、可変入賞装置の上部には一般入賞口ｂ（図１２参照）が設けられていることにより、大入賞口ｄ，ｄの開放時に、該一般入賞口ｂに遊技球が入賞してしまうと、折角、可変入賞装置の近辺に近寄った遊技球が大入賞口ｄ，ｄに入賞しなくなり、大当り発生のチャンスが失われることとなる。このため、大入賞口ｄ，ｄの開放時において一般入賞口ｂに遊技球が入賞すると、遊技者は大きな落胆感を抱くこととなり、遊技意欲が低下するという問題点がある。
【０００７】
また、第二種パチンコ遊技機にあっては、遊技球の通過により開閉部材を開閉させる始動領域を複数備え、所定の始動領域毎に開閉部材の開放時間や開閉回数を異ならせて、大入賞口への入賞率を変化させるようにしているが、このような開閉部材の作動態様による入賞率の変更手段は既によく知られているため、斬新性や興趣性が喪失して、遊技者に飽きられつつあるという問題点がある。
【０００８】
本発明は、かかる従来の問題点の改善を試みたものであって、開閉部材の開閉駆動時に、一般入賞口への遊技球の流入を常に又は選択的に阻止し得るとともに、大入賞口への入賞率を変化させ得る新規な構成の可変入賞装置を備えたパチンコ遊技機を提供することを目的とするものである。
【０００９】
【課題を解決するための手段】
本発明は、入賞ケースの上部位置に一般入賞口が設けられるとともに、入賞ケースの左右両側に開口された大入賞口に、該大入賞口を開閉する開閉部材が夫々配設された可変入賞装置を備えてなり、所定始動条件の成立を契機として前記開閉部材が所定開閉態様で開閉駆動されるパチンコ遊技機において、開閉部材の開閉駆動時に、一般入賞口への遊技球の流入を阻止する球流入阻止部材を備えたことを特徴とするパチンコ遊技機である（請求項１）。
【００１０】
ここで、可変入賞装置の開閉部材を開閉駆動させる契機となる所定始動条件の成立要件は、第二種パチンコ遊技機では始動領域を遊技球が通過した場合と、該始動領域の球通過を駆動契機とする開閉部材の開放駆動により大入賞口から閉鎖作動領域内に流入した遊技球が特定領域を通過した場合とすることができ、第一種パチンコ遊技機または第三種パチンコ遊技機では、大当りとしての特別遊技作動が発生した場合とすることができる。
【００１１】
かかる構成にあって、開閉部材の非駆動状態においては、一般入賞口へ遊技球を自由に入賞させることができる。一方、開閉部材の開閉駆動時に、球流入阻止部材によって一般入賞口への遊技球の流入が阻止された状態にあっては、遊技球が一般入賞口に入賞しないため、大入賞口に入賞する可能性が高められる。これにより、開閉部材の開閉駆動時と非駆動時とでは、遊技球の入賞態様を変化させることができ、パチンコ遊技の興趣性が向上する。
【００１２】
また、本発明は、入賞ケースの上部位置に一般入賞口が設けられるとともに、入賞ケースの左右両側に開口された大入賞口に、該大入賞口を開閉する開閉部材が夫々配設され、かつ、入賞ケース内に大入賞口により外部と連通する閉鎖作動領域が形成されて、該閉鎖作動領域内に一般領域と特定領域とが設けられた可変入賞装置と、遊技球の通過により前記開閉部材を開閉させる始動領域とを備えてなり、該始動領域の球通過を駆動契機とする開閉部材の開放駆動により大入賞口から閉鎖作動領域内に流入した遊技球が特定領域を通過した場合に、開閉部材が所定開閉態様で開閉駆動される特別開放作動を実行するパチンコ遊技機において、少なくとも始動領域の球通過を駆動契機とする開閉部材の開放駆動時に、一般入賞口への遊技球の流入を阻止する球流入阻止部材を備えたことを特徴とするパチンコ遊技機である（請求項２）。
【００１３】
かかる構成にあって、通常遊技時において、始動領域の球通過がなく、開閉部材が閉鎖位置に保持されている状態にあっては、一般入賞口へ遊技球が自由に入賞する。また、始動領域の球通過を駆動契機とする開閉部材の開放駆動時に、球流入阻止部材によって一般入賞口への遊技球の流入が阻止された状態にあっては、遊技球が一般入賞口に入賞しないため、大入賞口に入賞する可能性が高められる。そして、該遊技球が大入賞口に入賞して閉鎖作動領域内の特定領域を通過すれば、大当りとしての特別開放作動が発生することとなる。これにより、従来構成のように、始動領域の球通過を駆動契機とする開閉部材の開放駆動時に、可変入賞装置の上部位置に設けられた一般入賞口に遊技球が入賞してしまうと、該遊技球による大当り発生のチャンスが失われるものとは異なり、始動領域の球通過を駆動契機とする開閉部材の開放駆動時に、可変入賞装置の近辺に近寄った遊技球が大入賞口へ入賞し易くなって、遊技者は大当り発生に大きな期待感を抱くこととなり、遊技意欲を高揚させることができる。
【００１４】
上記球流入阻止部材としては、一般入賞口の上部に進出して遊技球の流入を不能とする遮蔽位置と、後退して遊技球の一般入賞口への流入を可能とする待機位置に変換駆動される遮蔽部材によって構成したものが提案される（請求項３）。かかる構成にあっては、単一の遮蔽部材を前後方向に進退駆動することにより、該遮蔽部材を遮蔽位置と待機位置とに変換することができるため、構造が簡単であり、従来の可変入賞装置の構成を大幅に変更する必要がない。これにより、入賞ケースの上部位置に設けられた一般入賞口への遊技球の流入制御を簡単に行うことができる。
【００１５】
また、他の球流入阻止部材としては、左右に拡開してその間に一般入賞口と連通する球通路を生じる待機位置と、内側に移動して前記球通路を閉鎖する作動位置とに変換駆動される左右一対の可動部材によって構成したものが提案される（請求項４）。かかる構成にあっては、開閉部材の開放駆動時に、左右一対の可動部材が内側に移動して作動位置に変換されると、各可動部材の外端と開放された開閉部材とによって生じる大入賞口の開口幅が、上述した単一の遮蔽部材を前後方向に進退駆動するものに比して広幅となり、遊技球が大入賞口に入賞する可能性をより高めることができる。また、左右一対の可動部材が、左右に拡開または内側に移動するので、その動作がダイナミックなものとなって、視覚的な興趣性が向上する。
【００１６】
さらに、遊技球の通過により開閉部材を開閉させる複数の始動領域を備え、かつ所定の始動領域毎に開閉部材の開放時間及び／又は開閉回数を異ならせた構成にあって、各始動領域の球通過に起因して、可動部材の変換駆動を選択的に実行するようにした構成（請求項５）が提案される。かかる構成は、請求項１又は請求項２の構成にあって、球流入阻止部材としての可動部材が、一般入賞口への遊技球の流入を選択的に阻止する場合に適用され、異なる開放時間及び／又は開閉回数が設定された各始動領域にあって、特定の始動領域を遊技球が通過した場合に可動部材の作動位置への変換駆動が実行され、それ以外の始動領域を遊技球が通過した場合には該変換駆動が実行されないようにしたものである。これにより、可動部材の作動態様が多様化し、遊技の興趣性をより一層向上させることができる。
【００１７】
また、開閉部材の上部に可動部材を配設し、該可動部材の外端と開放状態の開閉部材とによって大入賞口の開口幅を規定するとともに、所定の始動領域の球通過に起因して開閉部材が開放された状態にあって、可動部材の変換駆動の選択的な実行により、可動部材が左右に拡開した待機位置にある状態で狭幅の大入賞口の開口幅を生じさせる一方、可動部材が内側に移動した作動位置に変換された状態で広幅の大入賞口の開口幅を生じさせる構成（請求項６）が提案される。このように、可動部材の変換駆動の選択的な実行によって、大入賞口に異なる開口幅を生じさせることにより、大入賞口への入賞率を変化させることが可能となり、これを新たな入賞率の変更手段とすることができる。
【００１８】
【発明の実施の形態】
本発明の第一実施例を、添付図面に基づいて説明する。
図１は、第二種パチンコ遊技機として構成されたパチンコ遊技機の遊技盤１を示す正面図であって、該遊技盤１には、その略中央部に可変入賞装置２Ａが配設されており、また、該可変入賞装置２Ａの下方には、始動領域３ａを中央に位置させてその両側に始動領域３ｂ，３ｂが略横一列状に配設されている。
【００１９】
前記始動領域３ａは、遊技球の通過により球検知信号を送出する始動スイッチＳ１（図４参照）を備えており、該始動スイッチＳ１　から球検知信号が送出されると、所定個数（例えば１５個）の賞球が払い出されるとともに、後述する可変入賞装置２Ａの開閉部材４ａ，４ａが開閉駆動され、大入賞口５，５の所定時間（例えば０．５秒間）の開放が２回行われる。また、始動領域３ｂ，３ｂは、遊技球の通過により球検知信号を送出する始動スイッチＳ２（図４参照）を夫々備えており、該始動スイッチＳ２，Ｓ２　から球検知信号が送出されると、所定個数（例えば１５個）の賞球が払い出されるとともに、開閉部材４ａ，４ａが開閉駆動されて、大入賞口５，５の所定時間（例えば０．３秒間）の開放が１回行われる。
【００２０】
その他、遊技盤１には、種々の一般入賞口６，風車７等の遊技装置や、電飾装置８ａ，８ｂが所定位置に配設されている。
【００２１】
前記可変入賞装置２Ａには、図２，図３に示すように、外郭を構成する入賞ケース９の略中央位置に、矩形状に開口された奥に深い閉鎖作動領域１０が形成されている。入賞ケース９は、左右両側に側壁部１１，１１を備え、かつ上部及び下部に天蓋部１３と底壁部１４とを備えている。天蓋部１３と底壁部１４間の上方寄り中段位置には水平状の支持壁１２が横設されており、該支持壁１２の下部が前記閉鎖作動領域１０となっている。また、支持壁１２と天蓋部１３間の左右両側に閉鎖作動領域１０を外部と連通させる大入賞口５，５が設けられている。支持壁１２上には、左右一対の開閉部材４ａ，４ａが左右方向に摺動可能に支持されており、該開閉部材４ａ，４ａを図示しない大入賞口開閉ソレノイド３２（図４参照）等からなる駆動手段によって往復駆動することにより、図２に示すように、外側方に突出して大入賞口５，５を開放する開放位置と、図３に示すように、内側方に後退して大入賞口５，５を閉鎖する閉鎖位置とに変換制御し得るようになっている。尚、前記天蓋部１３は、外端が下方に向けて湾曲する円弧状に形成されており、その周面によって遊技球を大入賞口５，５へ導く案内作用を生じるようになっている。
【００２２】
入賞ケース９の上部には、前記天蓋部１３の天頂面をＵ形に窪ませた球受け部１５が形成されており、該球受け部１５の後部側に位置する入賞ケース９の壁面に一般入賞口１６が設けられている。該一般入賞孔１６は、遊技球の通過を検知する一般入賞スイッチＳ３（図４参照）を備えており、該球検知スイッチＳ３　から球検知信号が送出されると、所定個数（例えば１５個）の賞球が払い出される。
【００２３】
前記一般入賞孔１６の上部には、扁平な三角板状に形成された遮蔽部材１７が出没可能に配設されている。該遮蔽部材１７は、図示しない駆動用ソレノイド１８（図４参照）等からなる駆動手段によって進退駆動され、図２に示すように、一般入賞口１６の上部に進出して遊技球の流入を不能とする遮蔽位置と、図３に示すように、後退して遊技球の一般入賞口１６への流入を可能とする待機位置に変換駆動される。そして、この第一実施例では、前記始動領域３ａ，３ｂ，３ｂの球通過を駆動契機とする開閉部材４ａ，４ａの開閉駆動時に、遮蔽位置に変換される遮蔽部材１７によって、一般入賞口１６への遊技球の流入を常に阻止する球流入阻止部材が構成されている。
【００２４】
また、前記支持壁１２の後方には、大入賞口５，５と閉鎖作動領域１０とを連通する連通口１９が開口されており、該連通口１９の奥部に左右二つの入賞球検知領域２０，２０が設けられている。各入賞球検知領域２０，２０には、遊技球の通過を検知する球検知スイッチＳ４（図４参照）が夫々配設されており、該球検知スイッチＳ４，Ｓ４　から球検知信号が送出されると、所定個数（例えば１５個）の賞球が払い出される。尚、該球検知スイッチＳ４，Ｓ４　は、後述する大当りとしての特別開放作動時における開閉ラウンド中の入賞球数を検知するカウントスイッチとしての機能も備えている。
【００２５】
また、前記開閉部材４ａ，４ａは、開放位置で上方からの遊技球を受け入れる球受部２１を夫々備えている。該球受部２１は、図２、図３等に示すように、その後部側が開放され、かつ底面が適宜の勾配で後方傾斜した傾斜案内面２２となっており、受け入れた遊技球を閉鎖位置で後方に放出して前記連通口１９内の入賞球検知領域２０，２０に送り込むようになっている。
【００２６】
入賞球検知領域２０，２０の何れかを通過した遊技球は、前記閉鎖作動領域１０の奥部に落下する。ここで、閉鎖作動領域１０の底壁部１４の上面は若干の勾配で前方傾斜しており、奥部に落下した遊技球を前方に流下させ得るようになっている。底壁部１４の前縁部には、中央に特定領域２３が、また、その左右両側に一般領域２４，２４が区画形成されている。特定領域２３は、遊技球の通過により球検知信号を送出する特定領域スイッチＳ５（図４参照）を備えており、該特定領域スイッチＳ５　から球検知信号が送出されると、開閉部材４ａ，４ａが所定開閉態様で開閉駆動される大当りとしての特別開放作動が実行され、また、該特別開放作動中にあっては、所定回数を上限とする開閉ラウンドを継続させ得るようになっている。一方、一般領域２４，２４に流入した遊技球はそのまま回収され、図示しない球通路を介して遊技盤１の裏面側に排出される。
【００２７】
尚、図示省略されているが、前記閉鎖作動領域１０の底壁部１４上には、特定領域２３に至る遊技球の流下路内に位置させて、遊技球の特定領域２３の通過を容易とする状態と、困難とする状態を可変的に生じるように作動する適宜構成の誘導部材が配設される。
【００２８】
図４は、上述のパチンコ遊技機の作動を制御する制御回路を示すものである。
主制御基板６０には、パチンコ遊技機の遊技作動等を制御するための基板回路が設けられており、この基板回路上には主制御用中央制御装置ＣＰＵが配設されている。この主制御用中央制御装置ＣＰＵは、遊技に関する統括的な制御を処理実行するものであって、該主制御用中央制御装置ＣＰＵには、演算処理に用いる動作プログラムを格納する記憶装置ＲＯＭと、必要なデータを随時読み書き可能な記憶装置ＲＡＭとが、データを読み書きするアドレスを指定する情報を一方的に伝えるアドレスバス（図示省略）と、データのやり取りを行なうデータバス（図示省略）を介して接続され、該主制御基板６０の基板回路を構成している。記憶装置ＲＯＭには、開閉部材４ａ，４ａ及び遮蔽部材１７（第二実施例及び第三実施例にあっては可動部材２７，２７）の作動を制御する制御プログラム等の固定データが記憶されている。また、記憶装置ＲＡＭには、上述した始動スイッチＳ１　，Ｓ２　、一般入賞スイッチＳ３　、球検知スイッチ（カウントスイッチ）Ｓ４　，Ｓ４　、特定領域スイッチＳ５　等から送出された球検知信号等の情報が一時的に記憶される記憶エリア、ソフトタイマを構成するレジスタ領域及びワークエリア等が設けられている。
【００２９】
この主制御基板６０の基板回路には、所定のクロックパルスを出力するクロック装置（図示省略）が設けられ、主制御用中央制御装置ＣＰＵに接続されている。そして主制御用中央制御装置ＣＰＵは一定間隔のクロックパルスによって、時系列的に演算処理を行い、一連の処理作動を順次実行する。また、このクロック装置により出力されたクロックパルスをカウントして、時間を計測するタイマーも接続されている。
【００３０】
また、主制御基板６０の基板回路には、主制御用中央制御装置ＣＰＵが周辺機器とデータ通信を行う入力ポート（図示省略）及び出力ポート（図示省略）が設けられている。該入力ポートには、盤面中継基板６１を介して上述した始動スイッチＳ１　，Ｓ２　、一般入賞スイッチＳ３　、球検知スイッチ（カウントスイッチ）Ｓ４，Ｓ４　、特定領域スイッチＳ５　が接続されており、主制御基板６０が２ｍｓ毎に各スイッチＳ１　〜Ｓ５　の遊技球検出状態を調べ、遊技球検出があるとその信号が波形整形回路により波形整形されて主制御用中央制御装置ＣＰＵに入力され、その情報が記憶装置ＲＡＭに記憶される。一方、主制御基板６０の出力ポートには、盤面中継基板６１を介して大入賞口開閉ソレノイド３２、図示しないラウンド回数等の所要情報の表示装置、遮蔽部材１７（可動部材２７，２７）の駆動用ソレノイド１８、誘導部材の駆動モータ等が接続されており、これらが主制御用中央制御装置ＣＰＵの制御指令信号に従って作動される。また、主制御基板６０の出力ポートを介して主制御用中央制御装置ＣＰＵの制御指令信号が、音源制御基板６３、光源制御基板６４、及び払出制御基板６５の各入力ポートに向けて一方向に発信されるようになっている。
【００３１】
ここで、主制御用中央制御装置ＣＰＵ及び上記各制御基板６３，６４，６５に設置されている各中央制御装置ＣＰＵは、所定のデータの処理を行う演算ユニット（ＡＬＵ）を連成した演算装置と、この演算装置に入出力するデータや読み込んだ命令を保管しておくレジスタと、命令を解読するデコーダ等によって構成されている。尚、該演算ユニットの連成数によって、中央制御装置ＣＰＵの演算処理能力が決まる。そして、主制御用中央制御装置ＣＰＵは、所定の形式で生成した制御指令信号を各制御基板６３，６４，６５に夫々送信し、各制御基板６３，６４，６５の中央制御装置ＣＰＵが該制御指令信号に従って所定の制御を処理実行することとなる。
【００３２】
上記音源制御基板６３には、スピーカから発生する効果音等を制御するための基板回路が設けられている。この基板回路は、音響を制御する音源制御用中央制御装置ＣＰＵに、動作プログラムや音響発生パターン等の固定データが記憶されている記憶装置ＲＯＭと、必要なデータを読み書きする記憶装置ＲＡＭと、入力ポート及び出力ポートとを備えてなる。この音源制御基板６３は、上記の主制御基板６０より入力ポートを介して受信した制御指令信号を音源制御用中央制御装置ＣＰＵで演算処理し、所定の音データを出力ポートを介してサウンドジェネレータに送信して、スピーカから所定の効果音を出力させる。
【００３３】
また、上記光源制御基板６４には、パチンコ遊技機に備えられた電飾装置８ａ，８ｂの発光ダイオードや装飾ランプ等の光源を制御するための基板回路が設けられている。この基板回路は、発光ダイオード，装飾ランプ等の光源の点灯，点滅等を制御する光源制御用中央制御装置ＣＰＵに、動作プログラムや、光源の電飾点灯パターン等の固定データが記憶されている記憶装置ＲＯＭと、必要なデータを読み書きする記憶装置ＲＡＭと、入力ポート及び出力ポートとを備えてなる。この光源制御基板６４は、上記の主制御基板６０から入力ポートを介して受信した制御指令信号を光源制御用中央制御装置ＣＰＵで演算処理し、所定の光データを出力ポートを介して、発光ダイオードや装飾ランプ等の光源を発光作動するドライバを配した光源作動基板に送信して、所定の発光ダイオードや装飾ランプ等の光源を所定の演出態様で点灯，点滅させる。
【００３４】
また、上記払出制御基板６５には、遊技球の貸球や賞球等を制御するための基板回路が設けられている。この基板回路は、賞球ユニットや貸球ユニット等に内蔵されている各種ソレノイドを作動して、所定の賞球や貸球の供給を制御する払出制御用中央制御装置ＣＰＵに、動作プログラム、賞球や貸球の球数パターン等の固定データが記憶されている記憶装置ＲＯＭと、球数カウントデータ等の必要なデータを読み書きする記憶装置ＲＡＭと、入力ポート及び出力ポートとを備えてなる。この払出制御基板６５は、主制御基板６０から受信した制御指令信号に従って払出制御用中央制御装置ＣＰＵで演算処理し、所定のデータを出力ポートを介して払出中継基板に送信し、このデータにより貸球ユニットや賞球ユニット内の各種ソレノイドを作動させて、所定の賞球や貸球の払い出しを実行する。また、払出制御基板６５には、プリペイド金額を記憶したプリペイドカードの読み書きを行うプリペイドカードユニットが、該プリペイドカードのデータ処理を中継するＣＲ接続基板を介して接続されており、プリペイド金額の残額データ等が送受される。
【００３５】
次に、図４に示した制御回路の作動制御によるパチンコ遊技機の作動について説明する。
遊技球が図示しない発射装置から遊技盤１に打ち出され、この遊技球が始動領域３ａ，３ｂ，３ｂの何れかを通過すると、可変入賞装置２Ａの開閉部材４ａ，４ａが瞬時的に１回または２回開閉駆動される。即ち、始動領域３ａを遊技球が通過した場合には、始動スイッチＳ１　から送出される球検知信号を主制御基板６０が認識し、この信号により、主制御基板６０の主制御用中央制御装置ＣＰＵは、記憶装置ＲＯＭに記憶されている制御プログラムに基づいて大入賞口開閉ソレノイド３２を作動させ、開閉部材４ａ，４ａを所定時間（例えば０．５秒間）、２回開放駆動させる。この場合、１回目の開放終了から２回目の開放開始までに所定時間（例えば１．０秒間）のインターバル時間が設定される。また、始動領域３ｂ，３ｂの何れかを遊技球が通過した場合には、始動スイッチＳ２　から送出される球検知信号に基づいて主制御用中央制御装置ＣＰＵが大入賞口開閉ソレノイド３２を作動させ、開閉部材４ａ，４ａを所定時間（例えば０．３秒間）に亘って１回開放駆動させる。
【００３６】
また、上記のように、始動領域３ａ，３ｂ，３ｂの何れかの球通過により、始動スイッチＳ１　または始動スイッチＳ２　から送出される球検知信号を主制御基板６０が認識すると、主制御基板６０の主制御用中央制御装置ＣＰＵは、記憶装置ＲＯＭに記憶されている制御プログラムに基づいて駆動用ソレノイド１８を作動させ、遮蔽部材１７を一般入賞口１６の上部に進出させて遮蔽位置（図２参照）に変換駆動する。ここで、該遮蔽部材１７の遮蔽位置への変換駆動は、前記開閉部材４ａ，４ａの開放駆動開始の　１．０秒前に実行され、開閉部材４ａ，４ａの開放駆動終了と同期して遮蔽部材１７が再び待機位置に変換駆動される。従って、始動領域３ａの球通過を駆動契機として、開閉部材４ａ，４ａが　０．５秒間、２回開放駆動される場合には、１回目の開放終了から２回目の開放開始までのインターバル時間（　１．０秒間）を含めて、遮蔽部材１７によって一般入賞口１６が　３．０秒間に亘って遮蔽されることとなる。また、始動領域３ｂ，３ｂの何れかの球通過を駆動契機として、開閉部材４ａ，４ａが　０．３秒間開放駆動される場合には、遮蔽部材１７によって一般入賞口１６が　１．３秒間に亘って遮蔽されることとなる。
【００３７】
そして、開閉部材４ａ，４ａの開放駆動中に、該開閉部材４ａ，４ａの球受部２１，２１が遊技球を受け入れると、該遊技球は開閉部材４ａ，４ａの閉鎖位置への変換駆動に伴って大入賞口５，５から連通口１９内の入賞球検知領域２０，２０へ送り込まれ、該入賞球検知領域２０，２０を通過して閉鎖作動領域１０の奥部に落下し、図示しない誘導部材の障害を経て特定領域２３及び一般領域２４，２４の何れかに流入する。ここで、遊技球が特定領域２３を通過すると、特定領域スイッチＳ５　により特定領域２３の球通過が検知され、その球検知信号を主制御基板６０が認識することにより、開閉部材４ａ，４ａが所定開閉態様で開閉駆動される大当りとしての特別開放作動が実行される。
【００３８】
この特別開放作動により、大入賞口開閉ソレノイド３２が作動して、開閉部材４ａ，４ａを所定制限開閉回数（例えば１８回）開閉させ、かつ一回の開閉毎に所定時間（例えば０．８　秒間）の開放状態を生じさせる開閉ラウンドが開始される。一回の開閉ラウンドは、所定制限開閉回数（例えば１８回）の開閉が満了するか、該所定制限開閉回数内でカウントスイッチを兼ねた球検知スイッチＳ４，Ｓ４　により所定個数（例えば１０個）の遊技球の入賞検知がなされるか、またはその入賞した各遊技球が特定領域２３の特定領域スイッチＳ５　を通過するかの何れかによる所定終了条件の成立を契機として終了する。そして、この開閉ラウンド中または開閉ラウンド終了後の所定有効時間（例えば２．３秒間）以内に、特定領域スイッチＳ５　によって特定領域２３の球通過が検知されると、次の開閉ラウンドへ進む条件が充足され、開閉ラウンドが再開される。この開閉ラウンドが所定継続可能回数（例えば１５回）を上限として継続されると、特別開放作動が終了する。尚、この特別開放作動中にあって、入賞球検知領域２０，２０の球通過により、球検知スイッチＳ４，Ｓ４　から球検知信号が送出される度に所定個数（例えば１５個）の賞球が払い出される。
【００３９】
かかる構成にあって、通常遊技時において、始動領域３ａ，３ｂ，３ｂの球通過がなく、開閉部材４ａ，４ａが閉鎖位置に保持されている状態にあっては、球流入阻止部材としての遮蔽部材１７が待機位置（図３参照）に変換されていることにより、可変入賞装置２Ａの近辺に近寄った遊技球は一般入賞口１６へ自由に入賞する。また、始動領域３ａ，３ｂ，３ｂの何れかの球通過を駆動契機とする開閉部材４ａ，４ａの開放駆動時にあっては、球流入阻止部材としての遮蔽部材１７が、一般入賞口１６の上部に進出して遊技球の流入を不能とする遮蔽位置（図２参照）に変換駆動されることにより、遊技球が一般入賞口１６に入賞せず、大入賞口５，５に入賞する可能性が高められる。これにより、始動領域３ａ，３ｂ，３ｂの何れかの球通過を駆動契機とする開閉部材４ａ，４ａの開放駆動時に、可変入賞装置２Ａの近辺に近寄った遊技球が大入賞口５，５へ入賞し易くなって、遊技者は大当り発生に大きな期待感を抱くこととなり、遊技意欲を高揚させることができる。
【００４０】
また、この第一実施例における構成は、単一の遮蔽部材１７を前後方向に進退駆動することにより、該遮蔽部材１７を遮蔽位置と待機位置とに変換することができるため、構造が簡単であり、従来の可変入賞装置ａ（図１２参照）の構成を大幅に変更する必要がない。これにより、入賞ケースの上部位置に設けられた一般入賞口１６への遊技球の流入制御を簡単に行い得る利点がある。
【００４１】
尚、この第一実施例では、始動領域３ａ，３ｂ，３ｂの何れかの球通過を駆動契機とする開閉部材４ａ，４ａの開放駆動時に、遮蔽部材１７を遮蔽位置に変換駆動するようにしたが、これ以外に、大当りとしての特別開放作動の発生から終了までの間、遮蔽部材１７の遮蔽位置への変換駆動を行うようにしてもよい。これにより、各開閉ラウンド中に大入賞口５，５から流入する遊技球数が増え、特定領域２３を通過し易くなるため、開閉ラウンドを継続させ易くすることができる。
【００４２】
図５は、第一実施例の変形実施例を示し、この実施例における可変入賞装置２Ｂは、大入賞口５，５を開閉する開閉部材４ｂ，４ｂが左右一対の開閉翼片によって構成されている。即ち、入賞ケース９の左右両側に設けられた大入賞口５，５に、下端部が駆動軸２５，２５により軸支された開閉翼片からなる開閉部材４ｂ，４ｂが配設されており、該開閉部材４ｂ，４ｂを駆動軸２５，２５に連繋した図示しない大入賞口開閉ソレノイド３２（図４参照）等からなる駆動手段によって往復回動駆動することにより、略起立状態で大入賞口５，５を塞ぐ遮蔽位置と、図５に示すように、略倒ハ字形に拡開して大入賞口５，５を開放する開放位置とに変換制御し得るようになっている。開閉部材４ｂ，４ｂの上端背面側には、略Ｌ形の案内溝２６，２６が形成されており、該案内溝２６，２６によって、その開放位置で上方からの遊技球を受け入れて大入賞口５，５に流入させ得るようになっている。その他の可変入賞装置としての基本的な構成は、上述した第一実施例と同じであり、同一部分に同一符号を付して重複する説明を省略する。また、一般入賞孔１６の上部に配設された遮蔽部材１７の構成及び作動制御態様も上述した第一実施例と同じである。
【００４３】
かかる開閉部材４ｂ，４ｂを備えた可変入賞装置２Ｂにあっても、始動領域３ａ，３ｂ，３ｂの何れかの球通過を駆動契機とする開閉部材４ｂ，４ｂの開放駆動時にあって、球流入阻止部材としての遮蔽部材１７が、一般入賞口１６の上部に進出して遊技球の流入を不能とする遮蔽位置に変換駆動されることにより、遊技球が一般入賞口１６に入賞せず、大入賞口５，５に入賞する可能性が高められる。
【００４４】
図６，図７は、第二実施例を示し、この実施例は、前記第一実施例における可変入賞装置２Ａの天蓋部１３が左右に分割された一対の可動部材２７，２７となっている。該可動部材２７，２７は、図示しない駆動用ソレノイド１８（図４参照）等からなる駆動手段によって左右方向に進退駆動され、図６に示すように、左右に拡開してその間に一般入賞口１６と連通する球通路２８を生じる待機位置と、図７に示すように、内側に移動して前記球通路２８を閉鎖する作動位置とに変換駆動される。そして、この第二実施例では、上述した始動領域３ａ，３ｂ，３ｂ（図１参照）の球通過を駆動契機とする開閉部材４ａ，４ａの開閉駆動時に、可動部材２７，２７が作動位置に変換されるように駆動制御され、該可動部材２７，２７によって、一般入賞口１６への遊技球の流入を常に阻止する球流入阻止部材が構成されている。また、開閉部材４ａ，４ａの上部に可動部材２７，２７が配設されており、図７に示すように、該可動部材２７，２７の外端と開放状態の開閉部材４ａ，４ａとによって大入賞口５，５の開口幅Ｗ１　を規定するようにしている。その他の構成は、第一実施例と同じであり、同一部分に同一符号を付して重複する説明を省略する。
【００４５】
かかる構成にあって、通常遊技時において、始動領域３ａ，３ｂ，３ｂの球通過がなく、開閉部材４ａ，４ａが閉鎖位置に保持されている状態にあっては、球流入阻止部材としての可動部材２７，２７が待機位置（図６参照）に変換されていることにより、可変入賞装置２Ａの近辺に近寄った遊技球は一般入賞口１６へ自由に入賞する。また、始動領域３ａ，３ｂ，３ｂの何れかの球通過を駆動契機とする開閉部材４ａ，４ａの開放駆動時にあっては、球流入阻止部材としての可動部材２７，２７が、内側に移動して球通路２８を閉鎖する作動位置（図７参照）に変換駆動されることにより、遊技球が一般入賞口１６に入賞せず、大入賞口５，５に入賞する可能性が高められる。これにより、始動領域３ａ，３ｂ，３ｂの何れかの球通過を駆動契機とする開閉部材４ａ，４ａの開放駆動時に、可変入賞装置２Ａの近辺に近寄った遊技球が大入賞口５，５へ入賞し易くなって、遊技者は大当り発生に大きな期待感を抱くこととなり、遊技意欲を高揚させることができる。
【００４６】
また、この第二実施例における構成は、開閉部材４ａ，４ａの開放駆動時に、左右一対の可動部材２７，２７が内側に移動して作動位置に変換されると、各可動部材２７，２７の外端と開放された開閉部材４ａ，４ａとによって生じる大入賞口５，５の開口幅Ｗ１　が、上述した単一の遮蔽部材１７を前後方向に進退駆動するものに比して広幅となるため、遊技球が大入賞口５，５に入賞する可能性をより高めることができる。また、左右一対の可動部材２７，２７が、左右に拡開または内側に移動するので、その動作がダイナミックなものとなって、視覚的な興趣性が向上する。
【００４７】
図８，図９は、第二実施例の変形実施例を示し、この実施例は、上述した左右一対の開閉翼片からなる開閉部材４ｂ，４ｂを備えた可変入賞装置２Ｂ（図５参照）に対して第二実施例の可動部材２７，２７を設けたものであり、その他の構成は、第二実施例と同じであるので、同一部分に同一符号を付して重複する説明を省略する。かかる構成にあっても、上記と同様の作用効果を奏するものとなる。
【００４８】
図１０，図１１は、第三実施例を示し、この実施例は、異なる開放時間及び開閉回数が設定された各始動領域３ａ，３ｂ，３ｂ（図１参照）にあって、特定の始動領域３ａを遊技球が通過した場合に可動部材２７，２７の作動位置への変換駆動が実行され、それ以外の始動領域３ｂ，３ｂを遊技球が通過した場合には可動部材２７，２７の変換駆動が実行されないようにしたものであり、これによって、球流入阻止部材としての可動部材２７，２７が、一般入賞口１６への遊技球の流入を選択的に阻止するようになっている。ここで、上述したように、始動領域３ｂ，３ｂの何れかを遊技球が通過すると、開閉部材４ａ，４ａが所定時間（例えば０．３秒間）に亘って１回開放駆動されるが、この始動領域３ｂ，３ｂの何れかの球通過を駆動契機とする開閉部材４ａ，４ａの開放駆動時には、図１０に示すように、可動部材２７，２７が左右に拡開した待機位置にある状態で、該可動部材２７，２７の外端と開放状態の開閉部材４ａ，４ａとによって狭幅の大入賞口５，５の開口幅Ｗ２　を生じさせるようにしている。また、始動領域３ａを遊技球が通過すると、開閉部材４ａ，４ａが所定時間（例えば０．５秒間）、２回開放駆動されるが、この始動領域３ａの球通過を駆動契機とする開閉部材４ａ，４ａの開放駆動時には、図１１に示すように、可動部材２７，２７が内側に移動した作動位置に変換された状態で、該可動部材２７，２７の外端と開放状態の開閉部材４ａ，４ａとによって広幅の大入賞口５，５の開口幅Ｗ１　を生じさせるようにしている。
【００４９】
かかる構成にあって、各始動領域３ａ，３ｂ，３ｂの何れかの球通過に起因して可動部材２７，２７の変換駆動を選択的に実行し、大入賞口５，５に異なる開口幅Ｗ１　，Ｗ２　を生じさせることにより、大入賞口５，５への遊技球の入賞率を変化させることが可能となり、これを新たな入賞率の変更手段とすることができる。また、このように可動部材２７，２７の変換駆動を選択的に実行することにより、可動部材２７，２７の作動態様が多様化し、遊技の興趣性をより一層向上させることができる。
【００５０】
尚、上記実施例では、始動領域３ａと始動領域３ｂ，３ｂとで開閉部材４ａ，４ａの開放時間及び開閉回数を異ならせるようにしているが、これに代えて開放時間または開閉回数の何れか一方のみを異ならせることも可能である。また、この第三実施例の構成は、上述した第二実施例の変形実施例にも適用することが可能である。
【００５１】
さらに、上記各実施例では、第二種パチンコ遊技機として構成されたパチンコ遊技機について説明したが、上述した可変入賞装置２Ａ，２Ｂは、第一種パチンコ遊技機、または第三種パチンコ遊技機にも適用することが可能である。この場合、開閉部材４ａ，４ａを開閉駆動させる契機となる所定始動条件の成立要件としては、第一種パチンコ遊技機では、図柄表示装置に所定の当り図柄態様が確定表示された場合に実行される特別遊技作動の発生時とすることができ、また、第三種パチンコ遊技機では、図柄表示装置に所定の当り図柄態様が確定表示された場合に、開放制御される普通電動役物の内部の特別作動領域を遊技球が通過した場合に実行される特別遊技作動の発生時とすることができる。
【００５２】
【発明の効果】
本発明は、上述したように、請求項１の構成にかかるパチンコ遊技機にあっては、開閉部材の非駆動状態において、一般入賞口へ遊技球を自由に入賞させることができる一方、開閉部材の開閉駆動時にあっては、球流入阻止部材によって一般入賞口への遊技球の流入が阻止され、遊技球が一般入賞口に入賞しないため、大入賞口に入賞する可能性が高められる。これにより、開閉部材の開閉駆動時と非駆動時とでは、遊技球の入賞態様を変化させることができ、パチンコ遊技の興趣性が向上する。
【００５３】
また、請求項２の構成にかかるパチンコ遊技機にあっては、通常遊技時において、始動領域の球通過がなく、開閉部材が閉鎖位置に保持されている状態にあっては、一般入賞口へ遊技球が自由に入賞する。また、始動領域の球通過を駆動契機とする開閉部材の開放駆動時に、球流入阻止部材によって一般入賞口への遊技球の流入が阻止された状態にあっては、遊技球が一般入賞口に入賞しないため、大入賞口に入賞する可能性が高められる。そして、該遊技球が大入賞口に入賞して閉鎖作動領域内の特定領域を通過すれば、大当りとしての特別開放作動が発生することとなる。これにより、従来構成のように、始動領域の球通過を駆動契機とする開閉部材の開放駆動時に、可変入賞装置の上部位置に設けられた一般入賞口に遊技球が入賞してしまうと、該遊技球による大当り発生のチャンスが失われるものとは異なり、始動領域の球通過を駆動契機とする開閉部材の開放駆動時に、可変入賞装置の近辺に近寄った遊技球が大入賞口へ入賞し易くなって、遊技者は大当り発生に大きな期待感を抱くこととなり、遊技意欲を高揚させることができる。
【００５４】
また、上記球流入阻止部材を、一般入賞口の上部に進出して遊技球の流入を不能とする遮蔽位置と、後退して遊技球の一般入賞口への流入を可能とする待機位置に変換駆動される遮蔽部材によって構成することにより（請求項３）、単一の遮蔽部材を前後方向に進退駆動することによって、該遮蔽部材を遮蔽位置と待機位置とに変換することができるため、構造が簡単であり、従来の可変入賞装置の構成を大幅に変更する必要がない。これにより、入賞ケースの上部位置に設けられた一般入賞口への遊技球の流入制御を簡単に行うことができる。
【００５５】
また、球流入阻止部材を、左右に拡開してその間に一般入賞口と連通する球通路を生じる待機位置と、内側に移動して前記球通路を閉鎖する作動位置とに変換駆動される左右一対の可動部材によって構成すれば（請求項４）、開閉部材の開放駆動時に、左右一対の可動部材が内側に移動して作動位置に変換されると、各可動部材の外端と開放された開閉部材とによって生じる大入賞口の開口幅が、上述した単一の遮蔽部材を前後方向に進退駆動するものに比して広幅となり、遊技球が大入賞口に入賞する可能性をより高めることができる。また、左右一対の可動部材が、左右に拡開または内側に移動するので、その動作がダイナミックなものとなって、視覚的な興趣性が向上する。
【００５６】
さらに、遊技球の通過により開閉部材を開閉させる複数の始動領域を備え、かつ所定の始動領域毎に開閉部材の開放時間及び／又は開閉回数を異ならせた構成にあって、各始動領域の球通過に起因して、可動部材の変換駆動を選択的に実行するようにすれば（請求項５）、請求項１又は請求項２の構成において、球流入阻止部材としての可動部材によって、一般入賞口への遊技球の流入を選択的に阻止することができ、これにより、可動部材の作動態様が多様化し、遊技の興趣性をより一層向上させることができる。
【００５７】
また、開閉部材の上部に可動部材を配設し、該可動部材の外端と開放状態の開閉部材とによって大入賞口の開口幅を規定するとともに、所定の始動領域の球通過に起因して開閉部材が開放された状態にあって、可動部材の変換駆動の選択的な実行により、可動部材が左右に拡開した待機位置にある状態で狭幅の大入賞口の開口幅を生じさせる一方、可動部材が内側に移動した作動位置に変換された状態で広幅の大入賞口の開口幅を生じさせるようにすれば（請求項６）、大入賞口への入賞率を変化させることが可能となり、これを新たな入賞率の変更手段とすることができる。
【図面の簡単な説明】
【図１】第一実施例にかかるパチンコ遊技機の遊技盤を示す正面図である。
【図２】遮蔽部材が遮蔽位置に変換された状態を示す可変入賞装置の斜視図である。
【図３】遮蔽部材が待機位置に変換された状態を示す可変入賞装置の斜視図である。
【図４】遊技を制御する制御回路のブロック回路図である。
【図５】第一実施例の変形実施例にかかる可変入賞装置の正面図である。
【図６】第二実施例にかかる可変入賞装置の正面図である。
【図７】同上の可変入賞装置の作用説明図である。
【図８】第二実施例の変形実施例にかかる可変入賞装置の正面図である。
【図９】同上の可変入賞装置の作用説明図である。
【図１０】第三実施例にかかる可変入賞装置を示し、狭幅の大入賞口の開口幅を生じた状態の正面図である。
【図１１】同上の可変入賞装置を示し、広幅の大入賞口の開口幅を生じた状態の正面図である。
【図１２】従来構成の可変入賞装置の正面図である。
【符号の説明】
２Ａ，２Ｂ　可変入賞装置
３ａ，３ｂ　始動領域
４ａ，４ｂ　開閉部材
５　大入賞口
９　入賞ケース
１０　閉鎖作動領域
１６　一般入賞口
１７　遮蔽部材（球流入阻止部材）
２３　特定領域
２４　一般領域
２７　可動部材（球流入阻止部材）
２８　球通路
Ｗ１，Ｗ２　開口幅
【図１】
2004041314.tif 000003
【図２】
2004041314.tif 000004
【図３】
2004041314.tif 000005
【図４】
2004041314.tif 000006
【図５】
2004041314.tif 000007
【図６】
2004041314.tif 000008
【図７】
2004041314.tif 000009
【図８】
2004041314.tif 000010
【図９】
2004041314.tif 000011
【図１０】
2004041314.tif 000012
【図１１】
2004041314.tif 000013
【図１２】
2004041314.tif 000014